(57)【要約】  所有者が装置を操作できない場合でも情報を提供し、かつ、所有者の不在時には情報を提供しないため、本発明の救護情報提供システムは、虹彩画像を撮影する第１の撮影手段と、撮影された虹彩画像に関連するコードを取得するコード取得手段と、取得されたコードを表示するコード表示手段と、を含む情報表示装置と、情報表示装置が表示したコードを撮影する第２の撮影手段と、撮影したコードを用いて、虹彩画像に関連する個人の救護情報を取得する救護情報取得手段と、救護情報を出力する救護情報出力手段とを含む情報出力装置とを含む。
2020079719.tif 000002
【特許請求の範囲】
【請求項１】
虹彩画像を撮影する第１の撮影手段と、
撮影された前記虹彩画像に関連するコードを取得するコード取得手段と、
取得された前記コードを表示するコード表示手段と、
を含む情報表示装置と、
前記情報表示装置が表示した前記コードを撮影する第２の撮影手段と、
撮影した前記コードを用いて、前記虹彩画像に関連する個人の救護情報を取得する救護情報取得手段と、
前記救護情報を出力する救護情報出力手段と
を含む情報出力装置と
を含む救護情報提供システム。
【請求項２】
前記救護情報出力手段が、
前記救護情報を基に、他の装置に情報を送信する
請求項１に記載の救護情報提供システム。
【請求項３】
前記情報表示装置が、
前記虹彩画像と前記コードとを関連付けて保存するコード保存手段と、
前記コードの表示の指示を取得する指示取得手段と
をさらに含み、
前記第１の撮影手段が、前記指示を基に前記虹彩画像を撮影し、
前記コード取得手段が、前記コード保存手段に保存されている前記虹彩画像の中で、撮影された前記虹彩画像と所定の範囲で一致する前記虹彩画像に関連する前記コードを取得する
請求項１又は２に記載の救護情報提供システム。
【請求項４】
前記情報出力装置が、前記救護情報を関する権限を有し、
前記救護情報取得手段が、前記権限に関連する前記救護情報を取得する
請求項１ないし３のいずれか１項に記載の救護情報提供システム。
【請求項５】
前記情報表示装置が、さらに、
前記虹彩画像を用いて前記個人の識別子を取得する識別子取得手段を含み、
前記コード取得手段が、取得した前記識別子を用いて前記コードを取得する
請求項１ないし４のいずれか１項に記載の救護情報提供システム。
【請求項６】
前記コードが、前記識別子の少なくとも一部を含む
請求項５に記載に救護情報提供システム。
【請求項７】
前記コード取得手段が、
前記第１の撮影手段が片眼の前記虹彩画像を撮影した場合に片眼の前記コードを取得し、前記第１の撮影手段が両眼の前記虹彩画像を撮影した場合に両眼の前記コードを取得し、
前記救護情報取得手段が、
前記第２の撮影手段が両眼の前記コードを撮影した場合に、前記第２の撮影手段が片眼の前記コードを撮影した場合に取得する前記救護情報と、少なくとも一部が異なる前記救護情報を取得する
請求項１ないし６のいずれか１項に記載の救護情報提供システム。
【請求項８】
前記コード取得手段が、
前記第１の撮影手段が左眼の前記虹彩画像を撮影した場合に左眼の前記コードを取得し、前記第１の撮影手段が右眼の前記虹彩画像を撮影した場合に右眼の前記コードを取得し、
前記救護情報取得手段が、
前記第２の撮影手段が左眼の前記コードを撮影した場合に、前記第２の撮影手段が右眼の前記コードを撮影した場合に取得する前記救護情報と、少なくとも一部が異なる前記救護情報を取得する
請求項７に記載の救護情報提供システム。
【請求項９】
前記コードが、一次元コード又は二次元コードである
請求項１ないし８のいずれか１項に記載の救護情報提供システム。
【請求項１０】
前記虹彩画像を基に前記コードと提供し、
前記コードを基に前記救護情報を提供する
情報提供装置
をさらに含む、請求項１ないし９のいずれか１項に記載の救護情報提供システム。
【請求項１１】
前記コードの情報量が、前記虹彩画像の情報量より少ない
請求項１ないし１０のいずれか１項に記載の救護情報提供システム。
【請求項１２】
虹彩画像を撮影する第１の撮影手段と、
撮影された前記虹彩画像に関連するコードを取得するコード取得手段と、
前記コードを撮影し、
撮影した前記コードを用いて、前記虹彩画像に関連する個人の救護情報を取得し、
前記救護情報を出力する
情報出力装置が撮影する前記コードとして、取得された前記コードを表示するコード表示手段と、
を含む情報表示装置。
【請求項１３】
虹彩画像を撮影し、
撮影された前記虹彩画像に関連するコードを取得し、
取得された前記コードを表示する
情報表示装置が表示した前記コードを撮影する第２の撮影手段と、
撮影した前記コードを用いて、前記虹彩画像に関連する個人の救護情報を取得する救護情報取得手段と、
前記救護情報を出力する救護情報出力手段と
を含む情報出力装置。
【請求項１４】
情報表示装置と情報出力装置を含む救護情報提供システムにおいて、
前記情報表示装置が、
虹彩画像を撮影し、
撮影された前記虹彩画像に関連するコードを取得し、
取得された前記コードを表示し、
前記情報出力装置が、
前記情報表示装置が表示した前記コードを撮影し、
撮影した前記コードを用いて、前記虹彩画像に関連する個人の救護情報を取得し、
前記救護情報を出力する
救護情報提供方法。
【請求項１５】
情報表示装置が、
虹彩画像を撮影し、
撮影された前記虹彩画像に関連するコードを取得し、
前記虹彩画像に関連するコードを撮影し、
撮影した前記コードを用いて、前記虹彩画像に関連する個人の救護情報を取得し、
前記救護情報を出力する
情報出力装置に前記コードとして、取得された前記コードを表示する、
救護情報提供方法。
【請求項１６】
情報処理装置が、
虹彩画像を撮影し、
撮影された前記虹彩画像に関連するコードを取得し、
取得された前記コードを表示する、
情報表示装置が表示した前記コードを撮影し、
撮影した前記コードを用いて、前記虹彩画像に関連する個人の救護情報を取得し、
前記救護情報を出力する
救護情報提供方法。
【請求項１７】
情報表示装置に、
虹彩画像を撮影する処理と、
撮影された前記虹彩画像に関連するコードを取得する処理と、
前記コードを撮影し、
撮影した前記コードを用いて、前記虹彩画像に関連する個人の救護情報を取得し、
前記救護情報を出力する
情報出力装置が撮影する前記コードとして、取得された前記コードを表示する処理と、
を実行させるプログラムを記録する記録媒体。
【請求項１８】
情報処理装置に、
虹彩画像を撮影し、
撮影された前記虹彩画像に関連するコードを取得し、
取得された前記コードを表示する
情報表示装置が表示した前記コードを撮影する処理と、
撮影した前記コードを用いて、前記虹彩画像に関連する個人の救護情報を取得する処理と、
前記救護情報を出力する処理と
を実行させるプログラムを記録する記録媒体。
【発明の詳細な説明】
【技術分野】
【０００１】
本発明は、救護に関連する情報処理システムなどに関し、特に、救護に用いる情報を提供する救護情報提供システムなどに関する。
【背景技術】
【０００２】
スマートフォンなどの広まりに伴い、ネットワークを介して必要な情報を入手することが、容易になってきている。【０００３】
例えば、情報提供に個人が携帯する携帯端末を利用する技術が提案されている（例えば、特許文献１及び２を参照）。【０００４】
特許文献1に記載の情報取得携帯端末装置は、個人識別情報と、医療機関などのシステム識別情報とを基に、個人識別情報とシステム識別情報とに対応付けられたシステム内ユーザ識別情報を出力する。システム内ユーザ識別情報は、例えば、薬歴情報である。例えば、患者は、薬局などで自分が携帯している装置などを用いて薬を取得する。【０００５】
特許文献２に記載のレスキュー情報システムは、通信端末とサーバとを有する。通信端末は、サーバに、ユーザが入力した認証情報を送信する。サーバは、通信端末に、認証情報が適切か否かの判定結果を送信する。サーバから認証情報が適切との判定を受信すると、通信端末は、サーバに、個人情報の送信要求を送信する。サーバは、通信端末に、送信要求に対応する個人情報を送信する。サーバから個人情報を受信すると、端末装置は、個人情報を出力する。
【先行技術文献】
【特許文献】
【０００６】
【特許文献１】特開２０１７−２０８１３５号公報
【特許文献２】特開２００７−０３４７９８号公報
【発明の概要】
【発明が解決しようとする課題】
【０００７】
上記の特許文献１及び２に記載の発明は、携帯端末の所有者が携帯端末などを操作することを前提としている。【０００８】
しかし、事故などにおける被害者は、必ずしも、携帯端末を操作できるとは限らない。例えば、意識不明者は、携帯端末を操作できない。【０００９】
つまり、特許文献１及び２の記載の発明は、所有者が携帯端末を操作できない場合、情報を取得できない。【００１０】
なお、特許文献１及び２において、第三者が携帯端末を操作できるようにした場合、意識不明者などの携帯端末を用いて、情報提供が可能となる。しかし、携帯端末を第三者が操作できる場合、携帯端末の盗難など、携帯端末の所有者がいないときでの情報漏えいが発生する。【００１１】
特に、医療情報は、機微情報（センシティブ情報）であり、不特定多数への出力を避ける必要性が高い情報である。【００１２】
このように、特許文献１及び２に記載の発明は、所有者が操作できないときに情報を提供するためには、所有者が不在時において情報を保護できないという問題点があった。あるいは、特許文献１及び２に記載の発明は、所有者が不在時に情報を保護するためには、所有者が操作できないときに情報を提供できないという問題点があった。【００１３】
本発明の目的は、上記の問題点を解決し、所有者が装置を操作できない場合でも情報を提供し、かつ、所有者の不在時には情報を提供しない救護情報提供システム等を提供することにある。
【課題を解決するための手段】
【００１４】
本発明の一形態における救護情報提供システムは、
虹彩画像を撮影する第１の撮影手段と、
撮影された虹彩画像に関連するコードを取得するコード取得手段と、
取得されたコードを表示するコード表示手段と、
を含む情報表示装置と、
情報表示装置が表示したコードを撮影する第２の撮影手段と、
撮影したコードを用いて、虹彩画像に関連する個人の救護情報を取得する救護情報取得手段と、
救護情報を出力する救護情報出力手段と
を含む情報出力装置と、
を含む。【００１５】
本発明の一形態における情報表示装置は、
虹彩画像を撮影する第１の撮影手段と、
撮影された虹彩画像に関連するコードを取得するコード取得手段と、
コードを撮影し、
撮影したコードを用いて、虹彩画像に関連する個人の救護情報を取得し、
救護情報を出力する
情報出力装置が撮影するコードとして、取得されたコードを表示するコード表示手段と、
を含む。【００１６】
本発明の一形態における情報出力装置は、
虹彩画像を撮影し、
撮影された虹彩画像に関連するコードを取得し、
取得されたコードを表示する、
情報表示装置が表示したコードを撮影する第２の撮影手段と、
撮影したコードを用いて、虹彩画像に関連する個人の救護情報を取得する救護情報取得手段と、
救護情報を出力する救護情報出力手段と
を含む。【００１７】
本発明の一形態における救護情報提供方法は、
情報表示装置と情報出力装置を含む救護情報提供システムにおいて、
情報表示装置が、
虹彩画像を撮影し、
撮影された虹彩画像に関連するコードを取得し、
取得されたコードを表示し、
情報出力装置が、
情報表示装置が表示したコードを撮影し、
撮影したコードを用いて、虹彩画像に関連する個人の救護情報を取得し、
救護情報を出力する。【００１８】
本発明の第二の形態における救護情報提供方法は、
情報表示装置が、
虹彩画像を撮影し、
撮影された虹彩画像に関連するコードを取得し、
コードを撮影し、
撮影したコードを用いて、虹彩画像に関連する個人の救護情報を取得し、
救護情報を出力する
情報出力装置が撮影するコードとして、取得されたコードを表示する。【００１９】
本発明の第三の形態における救護情報提供方法は、
虹彩画像を撮影し、
撮影された虹彩画像に関連するコードを取得し、
取得されたコードを表示する、
情報表示装置が表示したコードを撮影し、
撮影したコードを用いて、虹彩画像に関連する個人の救護情報を取得し、
救護情報を出力する。【００２０】
本発明の一形態における記録媒体は、
情報表示装置に、
虹彩画像を撮影する処理と、
撮影された虹彩画像に関連するコードを取得する処理と、
コードを撮影し、
撮影したコードを用いて、虹彩画像に関連する個人の救護情報を取得し、
救護情報を出力する
情報出力装置が撮影するコードとして、取得されたコードを表示する処理と、
を実行させるプログラムを記録する。【００２１】
本発明の第二の形態における記録媒体は、
情報処理装置に、
虹彩画像を撮影し、
撮影された虹彩画像に関連するコードを取得し、
取得されたコードを表示する
情報表示装置が表示したコードを撮影する処理と、
撮影したコードを用いて、虹彩画像に関連する個人の救護情報を取得する処理と、
救護情報を出力する処理と
を実行させるプログラムを記録する。
【発明の効果】
【００２２】
本発明に基づけば、所有者が装置を操作できない場合でも情報を提供し、かつ、所有者の不在時には情報を提供しないとの効果を奏することができる。
【図面の簡単な説明】
【００２３】
【図１】図１は、第１の実施形態にかかる救護情報提供システムの構成の一例を示すブロック図である。
【図２】図２は、第１の実施形態にかかる救護情報提供システムの動作の一例を示すシーケンス図である。
【図３】図３は、第１の実施形態の概要である救護情報提供システムの構成の一例を示すブロック図である。
【図４】図４は、第１の実施形態にかかる情報表示装置の概要の一例を示すブロック図である。
【図５】図５は、第１の実施形態にかかる情報出力装置の概要の一例を示すブロック図である。
【図６】図６は、第１の実施形態にかかる情報表示装置などのハードウェア構成の一例である情報処理装置の構成を示すブロック図である。
【図７】図７は、第２の実施形態にかかる救護情報提供システムの構成の一例を示すブロック図である。
【図８】図８は、第３の実施形態にかかる救護情報提供システムの構成の一例を示すブロック図である。
【図９】図９は、第４の実施形態にかかる救護情報提供システムの構成の一例を示すブロック図である。
【発明を実施するための形態】
【００２４】
次に、本発明の実施形態について図面を参照して説明する。
【００２５】
なお、各図面は、本発明の実施形態を説明するためのものである。ただし、本発明は、各図面の記載に限られるわけではない。また、各図面の同様の構成には、同じ番号を付し、その繰り返しの説明を、省略する場合がある。また、以下の説明に用いる図面において、本発明の説明に関係しない部分の構成については、記載を省略し、図示しない場合もある。
【００２６】
各実施形態が用いる個人に固有の身体的な特徴（以下、「バイオメトリクス（ｂｉｏｍｅｔｒｉｃｓ）」と呼ぶ）は、限定されない。例えば、バイオメトリクスは、指紋、血管、虹彩、又はこれらの組合せである。以下の説明では、一例として、「虹彩」を用いる。ただし、これは、各実施形態の対象を虹彩に限定するものではない。各実施形態は、利用するバイオメトリクスを限定されない。
【００２７】
また、バイオメトリクスに関する情報（バイオメトリクス情報）としては、画像、又は、音声など、複数の情報の形式がある。以下の説明では、バイオメトリクス情報の一例として、画像（具体的には、虹彩画像）を用いて説明するが、これは、各実施形態の限定を意図するものではない。
【００２８】
各実施形態が用いるコードは、バイオメトリクス情報（虹彩画像）を基に生成される。コードは、一次元コード（例えば、バーコード）、又は、二次元コード（例えば、ＱＲコード（登録商標））でもよい。あるいは、コードは、ホログラムのような三次元に相当する情報を用いたものでもよい。このように、コードとは、数値を、所定の形状に変換したものである。
【００２９】
各実施形態において、コードの生成は、各コードの仕様に沿った生成方法を用いればよい。
【００３０】
一例として、バーコードについて説明すると、コードの生成は、次のような動作となる。コードに変換する画像を、２値（０と１）の連続したデータ（シリアルデータ）にする。そのデータの、いずれかの側（上位又は下位）から、順に、「０」と「１」それぞれについて以下のようにコードに変換する。「０」については、「０」が連続する数（ただし、１から４の範囲）を、対応する所定の４種類のスペース（白色の矩形）に変換する。「１」については、「１」が連続する数（ただし、１から４の範囲）を、対応する所定の４種類のバー（黒色の矩形）に変換する。このように作成した矩形の組合せであるコードに、所定のコード（左右のガードバーと、センターバーと、左右のマージン）を加えて、バーコードとする。
【００３１】
なお、バーコードなどについては、生成用のアプリケーションが広く提供されている。そのため、各実施形態は、それらのアプリケーションを用いればよい。
【００３２】
ただし、各実施形態において、利用するコードの形式は上記に限定されない。
【００３３】
なお、コードは、コードからバイオメトリクス情報を推測できない程度に情報量を削減した情報であることが望ましい。
【００３４】
これは、次のような理由のためである。
【００３５】
コードは、情報の提供のために撮影及び通信される情報である。救護情報は、複数回取得される場合がある。そのため、コードは、複数回、撮影及び通信される可能性がある情報である。そして、撮影及び通信の回数が多くなるほど、その情報は、第三者への漏洩の可能性が高くなる。そこで、バイオメトリクス情報の漏洩を防ぐため、コードは、コードからバイオメトリクス情報を推測できない情報であることが望ましい。
【００３６】
また、情報量の削減は、一般的に、データの量の削減となる。そのため、コードの通信は、バイオメトリクス情報の通信に比べ、装置間での通信の負荷を削減する。また、コードの処理は、バイオメトリクス情報の処理に比べ、処理の負荷が低い。
【００３７】
さらに、コードは、バイオメトリクス情報に加え、他の情報を含んでいてもよい。
【００３８】
各実施形態は、救護に関連する情報（救護情報）を提供する。ただし、各実施形態は、救護の対象となる個人、救護内容、及び救護情報を限定されない。
【００３９】
対象となる個人は、助けを必要とする者である。例えば、個人は、負傷者、意識不明者、幼児、年配者、及び／又は、障害を持つ者である。
【００４０】
救護は、上記の者を助けるための動作である。例えば、救護は、起居などを助ける介助、迷子の誘導、負傷者に対する医療行為、災害における救護活動、又は、意識不明者の身元確認及び移動などである。上記は例示であり、各実施形態における救護は、その内容を限定しない。
【００４１】
また、救護情報は、対象となる個人を救護するための情報である。救護情報は、例えば、住所、電話番号、又はメールアドレスのような連絡先、又は、アレルギー及び／又は薬歴などの医療情報である。
【００４２】
＜第１の実施形態＞
以下、図面を参照して、第１の実施形態について説明する。
【００４３】
［構成の説明］
まず、第１の実施形態にかかる救護情報提供システム４００の構成について、図面を参照して説明する。
【００４４】
図１は、第１の実施形態にかかる救護情報提供システム４００の構成の一例を示すブロック図である。
【００４５】
救護情報提供システム４００は、情報表示装置１００と、情報出力装置２００と、情報提供装置３００とを含む。
【００４６】
なお、図１は、救護情報提供システム４００に含まれる各装置を各々１台ずつとしている。しかし、これは、図面を明確とするためであり、救護情報提供システム４００が含む装置の数を限定するものではない。救護情報提供システム４００が含む各装置の数は、１つに限られない。例えば、救護情報提供システム４００は、複数台の情報出力装置２００を含んでもよい。
【００４７】
情報表示装置１００は、通信路を介して、情報提供装置３００と接続されている。情報出力装置２００は、通信路を介して、情報提供装置３００と接続されている。上記の通信路は、同じネットワーク内のでもよく、異なっていてもよい。
【００４８】
情報提供装置３００は、通信路を介して情報表示装置１００及び情報出力装置２００に情報を提供する。
【００４９】
情報提供装置３００が提供する情報の取得元は、限定されない。例えば、情報提供装置３００は、情報を提供する際に図示しない装置から情報を取得し、取得した情報を提供してもよい。
【００５０】
ただし、説明の便宜のため、以下の説明では、情報提供装置３００は、予め、情報を保存しているとする。
【００５１】
なお、情報提供装置３００は、情報表示装置１００及び／又は情報出力装置２００を認証してもよい。
【００５２】
例えば、後ほど説明するように、情報提供装置３００は、情報表示装置１００から虹彩画像を受信する。そこで、情報提供装置３００は、受信した虹彩画像を用いて正当な者（例えば、情報表示装置１００の所有者）からの依頼か否かを判定してもよい。
【００５３】
情報表示装置１００は、虹彩を撮影し、情報提供装置３００から撮影した虹彩に関連するコードを取得し、取得したコードを表示する。
【００５４】
情報出力装置２００は、情報表示装置１００が表示するコードを撮影し、情報提供装置３００から撮影したコードに関連する救護情報を取得し、取得した救護情報を出力（例えば、外部の表示装置に送信）する。
【００５５】
救護情報提供システム４００が、救急病院に適用された場合、例えば、各装置は、次のように動作する。
【００５６】
情報提供装置３００は、地域の医療情報を管理する装置である。情報提供装置３００は、予め、必要となる情報（例えば、救護情報）を保存している。
【００５７】
情報表示装置１００は、事故の被害者が携帯する装置である。
【００５８】
救急病院の医師又は看護師など（以下、医師など）は、被害者が携帯する情報表示装置１００（例えば、携帯電話など）を用いて被害者の虹彩を撮影する。さらに、医師などは、情報表示装置１００を操作して、情報提供装置３００から撮影した虹彩画像に関連するコードを取得して、情報表示装置１００にコードを表示させる。例えば、ボタン等を押下して被害者の虹彩を撮影し、情報表示装置１００に撮影した虹彩に関連するコードを表示させる。
【００５９】
そして、医師などは、表示されたコードを情報出力装置２００で撮影する。情報出力装置２００は、情報提供装置３００から、撮影したコードに関連する救護情報（例えば、薬歴）を取得して、表示装置に表示させる。
【００６０】
医師などは、表示された救護情報を参照して、被害者に対する処置を実行する。
【００６１】
なお、救急病院は、情報出力装置２００が設置されている施設の一例である。情報出力装置２００が設置されている施設は、救急病院に限定されない。例えば、情報出力装置２００が設置されている施設は、健康センター、役所、空港、警察署、又は、アミューズメントパークである。
【００６２】
なお、情報提供装置３００は、救護情報提供システム４００の外部の装置でもよい。この場合、救護情報提供システム４００は、必要に応じて、情報提供装置３００に相当する外部の装置から、情報を取得すればよい。
【００６３】
次に、各装置の詳細な構成について説明する。
【００６４】
情報提供装置３００は、情報保存部３１０と、情報提供部３２０とを含む。
【００６５】
情報保存部３１０は、情報表示装置１００及び情報出力装置２００が使用する情報を保存する。情報保存部３１０は、関連付けが必要な情報に関しては、それぞれ関連付けて保存する。
【００６６】
例えば、本実施形態の説明においては、情報保存部３１０は、次の情報を保存する。
【００６７】
情報保存部３１０は、虹彩画像とコードとを関連付けて保存する。さらに、情報保存部３１０は、コードと救護情報とを関連付けて保存する。
【００６８】
情報保存部３１０は、情報表示装置１００などからの依頼の前に、必要となる情報を保存しておけば、情報を保存するタイミングなどは限定されない。また、情報保存部３１０は、情報を送信してくる送信元を限定されない。情報提供装置３００は、予め、関連する装置（例えば、医療機関、又は、公的機関（官庁又は官署））から情報の提供を受けて保存しておけばよい。
【００６９】
情報保存部３１０は、上記の情報をひとまとまりの情報として保存してもよい。あるいは、情報保存部３１０は、上記の情報を複数の情報の組として保存してもよい。この場合、情報保存部３１０は、複数の構成又は装置を用いて構成されてもよい。例えば、情報保存部３１０は、虹彩画像とコードとを関連付けて保存する構成（第１の保存部）と、コードと救護情報とを関連付けて保存する構成（第２の保存部）とを用いて構成されてもよい。あるいは、情報提供装置３００が、上記の第１の保存部を含む装置と、上記の第２の保存部を含む装置との組合せとして構成されてもよい。
【００７０】
情報提供部３２０は、情報表示装置１００及び情報出力装置２００からの指示を基に、情報間の関連付けを用いて、情報保存部３１０が保存する情報から指示に関連した情報を提供する。
【００７１】
情報提供部３２０は、情報表示装置１００から虹彩画像に関連するコードの提供を指示された場合、情報保存部３１０に保存されているコードの中から指示に含まれる虹彩画像に関連するコードを、情報表示装置１００に提供する。なお、情報提供装置３００は、コードの配布における安全性を向上させるため、コードを送信する情報表示装置１００の認証を実行してもよい。
【００７２】
ただし、情報表示装置１００が生成する虹彩画像は、同じ個人の虹彩を用いても、常に同じ画像となるわけではない。
【００７３】
例えば、虹彩画像は、情報表示装置１００に対する虹彩の位置に伴って、変化する。その結果、情報提供装置３００が受信する虹彩画像は、同じ個人の虹彩画像であっても、必ずしも一致するとは限らない。
【００７４】
そこで、情報提供部３２０は、情報表示装置１００から受信した虹彩画像と保存している虹彩画像との一致の判定において、完全な一致に加え、所定の範囲の誤差を許容してよい。例えば、情報提供部３２０は、虹彩画像の一致判定として、９５%以上の一致を用いてもよい。あるいは、情報保存部３１０が複数の虹彩画像を保存する場合、情報提供部３２０は、一致の割合が最も高い虹彩画像を一致する虹彩画像と判定してもよい。
【００７５】
さらに、情報提供部３２０は、虹彩画像の一致の判定において、画像の移動、回転、拡大、縮小、変形、及びこれらの組合せなどの画像処理を用いてもよい。
【００７６】
なお、情報提供装置３００は、情報表示装置１００から受信した虹彩画像を基にコードを作成してもよい。この場合、情報提供装置３００は、情報保存部３１０を含まなくてもよい。
【００７７】
あるいは、情報提供部３２０は、情報出力装置２００からコードに関連する救護情報の提供を指示された場合、情報保存部３１０に保存されている救護情報の中から、指示に含まれたコードに関連する救護情報を情報出力装置２００に提供する。なお、情報提供装置３００は、救護情報の配布における安全性を向上させるため、救護情報を送信する情報出力装置２００の認証を実行してもよい。
【００７８】
なお、虹彩画像からコードを生成する手法として、複数の手法が用いられる場合がある。この場合、生成されるコードは、手法ごとに異なる可能性がある。そこで、情報提供装置３００は、救護情報に関連付けるコードとして、救護情報提供システム４００が利用している手法それぞれに対するコードを保存しておいてもよい。
【００７９】
さらに、例えば、コードは、コードを生成する手法を示す情報を含んでもよい。この場合、情報提供部３２０は、コードに含まれている生成手法を考慮して比較対象となるコードを選択すればよい。
【００８０】
なお、情報提供部３２０は、虹彩画像の一致の判定と同様に、コードの一致において、所定の許容範囲を用いてもよい。
【００８１】
情報表示装置１００は、撮影部１１０（以下、必要に応じて「第１の撮影部」とも呼ぶ）と、コード取得部１２０と、コード表示部１３０とを含む。
【００８２】
撮影部１１０は、虹彩を撮影し、虹彩画像を生成する。
【００８３】
コード取得部１２０は、撮影部１１０（第１の撮影部）が撮影した虹彩画像を用いて、情報提供装置３００から、虹彩に関連するコードを取得する。
【００８４】
コード表示部１３０は、取得したコードを表示する。例えば、コード表示部１３０は、図示しない液晶ディスプレイを含み、その液晶ディスプレイにコードを表示する。あるいは、コード表示部１３０は、図示しない外部の装置に、コードを表示してもよい。
【００８５】
情報出力装置２００は、撮影部２１０（以下、必要に応じて「第２の撮影部」とも呼ぶ）、救護情報取得部２２０と、救護情報出力部２３０とを含む。
【００８６】
撮影部２１０は、情報表示装置１００が表示したコードを撮影し、撮影した画像データを出力する。
【００８７】
救護情報取得部２２０は、画像データからのコードを用いて、情報提供装置３００から救護情報を取得する。
【００８８】
救護情報出力部２３０は、救護者などが参照するため、取得した救護情報を所定の装置に出力する。例えば、救護情報出力部２３０は、図示しない救護者が携帯する表示装置に救護情報を送信し、表示装置に救護情報を表示させてもよい。あるいは、情報出力装置２００が図示しない液晶ディスプレイを含む場合、救護情報出力部２３０は、その液晶ディスプレイに救護情報を表示してもよい。救護者などは、その液晶ディスプレイに表示された救護情報を用いて、救護を実行する。
【００８９】
あるいは、救護情報出力部２３０は、受信した救護情報を基に、所定の連絡先に、情報を送信してもよい。例えば、救護情報が、メールの送信先を含む場合、救護情報出力部２３０は、メールの送信先に、救護に関連する文を送信してもよい。
【００９０】
例えば、事故の被害者が情報表示装置１００を携帯している場合、情報出力装置２００は、救護情報として被害者の家族などの連絡先を取得し、被害者の家族などに被害者が事故に遭遇したことを連絡してもよい。
【００９１】
あるいは、迷子となっている年少者が情報表示装置１００を携帯している場合、情報出力装置２００は、年少者の保護者の携帯装置に連絡してもよい。
【００９２】
なお、情報出力装置２００は、予め、定型文を保存してもよい。この場合、情報出力装置２００は、救護情報に含まれるメールの送信先に、保存している定型文を送信する。
【００９３】
上記において、虹彩の撮影は、情報表示装置１００の所有者以外が行ってもよい。例えば、情報表示装置１００の所有者が、腕などを怪我している場合、又は、意識がない場合、所有者は、情報表示装置１００を操作できない。そこで、病院の医師などが、情報表示装置１００を用いて所有者の虹彩を撮影し、コードを表示する。そして、情報出力装置２００が、表示されたコードを撮影して、救護情報を出力する。
【００９４】
このように、救護情報提供システム４００は、情報表示装置１００が所有者などの虹彩画像を用いるため、所有者がいない場合には、救護情報を取得できない。一方、所有者がいる場合には、他の者が、虹彩を撮影して、救護情報を取得できる。
【００９５】
［動作の説明］
次に、図面を参照して、第１の実施形態にかかる救護情報提供システム４００の動作について、図面を参照して説明する。
【００９６】
図２は、第１の実施形態にかかる救護情報提供システム４００の動作の一例を示すシーケンス図である。
【００９７】
なお、情報提供装置３００は、予め、必要となる情報を保存している。
【００９８】
まず、情報表示装置１００が、虹彩を撮影する（Ｓ４０１）。
【００９９】
情報表示装置１００は、虹彩画像を情報提供装置３００に送信する（Ｓ４０２）。
【０１００】
情報提供装置３００が、虹彩画像に関連するコードを送り返す（Ｓ４０３）。
【０１０１】
情報表示装置１００は、受信したコードを表示する（Ｓ４０４）。
【０１０２】
情報出力装置２００は、コードを撮影する（Ｓ４０５）。
【０１０３】
情報出力装置２００は、撮影したコードのデータを情報提供装置３００に送信する（Ｓ４０６）。
【０１０４】
情報提供装置３００は、コードに関連する救護情報を送り返す（Ｓ４０７）。
【０１０５】
情報出力装置２００は、受信した救護情報を出力（例えば、表示）する（Ｓ４０８）。
【０１０６】
救護情報提供システム４００は、上記のＳ４０４からＳ４０８の動作を、繰り返してもよい。また、複数の情報出力装置２００が、Ｓ４０５からＳ４０８の動作を実行してもよい。
【０１０７】
［効果の説明］
次に第１の実施形態にかかる救護情報提供システム４００の効果について説明する。
【０１０８】
第１の実施形態にかかる救護情報提供システム４００は、情報表示装置１００の所有者が装置を操作できない場合でも情報を提供し、かつ、所有者の不在時には情報を提供しないとの効果を得ることができる。
【０１０９】
その理由は、次のとおりである。
【０１１０】
救護情報提供システム４００は、情報表示装置１００と、情報出力装置２００とを含む。情報表示装置１００は、撮影部１１０（第１の撮影部）と、コード取得部１２０と、コード表示部１３０とを含む。撮影部１１０は、虹彩画像を撮影する。コード取得部１２０は、撮影された虹彩画像に関連するコードを取得する。コード表示部１３０は、取得されたコードを表示する。情報出力装置２００は、撮影部２１０（第２の撮影部）と、救護情報取得部２２０と、救護情報出力部２３０とを含む。撮影部２１０は、情報表示装置１００が表示したコードを撮影する。救護情報取得部２２０は、撮影したコードを用いて、虹彩画像に関連する個人の救護情報を取得する。救護情報出力部２３０は、救護情報を出力する。
【０１１１】
情報提供装置３００は、上記において必要となる情報を提供する。
【０１１２】
上記の救護情報提供システム４００において、情報表示装置１００は、情報表示装置１００の所有者などの虹彩画像を用いて、コードを表示する。そのため、救護情報提供システム４００は、所有者などがいない場合にコードを表示できない。
【０１１３】
ただし、情報表示装置１００は、コードの表示において、必ずしも、所有者の操作を必要としない。つまり、所有者が操作できない場合でも、救護情報提供システム４００は、コードを表示できる。
【０１１４】
情報出力装置２００は、情報表示装置１００に表示されたコードを用いて、何度でも救護情報を出力できる。さらに、複数の情報出力装置２００が、情報表示装置１００に表示されたコードを用いて、何度でも救護情報を出力できる。
【０１１５】
このように、救護情報提供システム４００は、情報表示装置１００において虹彩画像を取得できたときに、情報出力装置２００が救護情報を出力する。そのため、救護情報提供システム４００は、盗難など所有者がいない場合に対して、救護情報を保護できる。
【０１１６】
さらに、救護情報提供システム４００は、情報表示装置１００に表示されたコードを用いているため、所有者の虹彩画像の漏洩を防ぐことができる。
【０１１７】
また、救護情報提供システム４００は、情報表示装置１００における表示されたコードの表示について制限がない。そのため、救護情報提供システム４００は、所有者が操作できない場合でも、救護情報を提供できる。
【０１１８】
［実施形態の概要］
次に、図面を参照して、第１の実施形態の概要を説明する。
【０１１９】
図３は、第１の実施形態の概要である救護情報提供システム４０１の構成の一例を示すブロック図である。
【０１２０】
救護情報提供システム４０１は、情報表示装置１００と、情報出力装置２００とを含む。情報表示装置１００は、撮影部１１０（第１の撮影部）と、コード取得部１２０と、コード表示部１３０とを含む。撮影部１１０は、虹彩画像を撮影する。コード取得部１２０は、撮影された虹彩画像に関連するコードを取得する。コード表示部１３０は、取得されたコードを表示する。情報出力装置２００は、撮影部２１０（第２の撮影部）と、救護情報取得部２２０と、救護情報出力部２３０とを含む。撮影部２１０は、情報表示装置１００が表示したコードを撮影する。救護情報取得部２２０は、撮影したコードを用いて、虹彩画像に関連する個人の救護情報を取得する。救護情報出力部２３０は、救護情報を出力する。
【０１２１】
情報表示装置１００及び情報出力装置２００は、図示しない情報提供装置３００に相当する装置に接続され、情報を取得する。そして、上記のように、救護情報提供システム４０１に含まれる各構成は、救護情報提供システム４００における対応する各構成と同様に動作する。
【０１２２】
このように構成された救護情報提供システム４０１は、救護情報提供システム４００と同様の効果を得ることができる。
【０１２３】
その理由は、救護情報提供システム４０１の各構成が、救護情報提供システム４００における同様の構成と同様に動作するためである。つまり、救護情報提供システム４０１は、虹彩画像を用いて表示されたコードに基づいて、救護情報を提供することができるためである。
【０１２４】
なお、救護情報提供システム４０１は、第１の実施形態における救護情報提供システム４００の最小構成の一例である。
【０１２５】
図４は、第１の実施形態にかかる情報表示装置１００の概要の一例を示すブロック図である。
【０１２６】
情報表示装置１００は、撮影部１１０（第１の撮影部）と、コード取得部１２０と、コード表示部１３０とを含む。撮影部１１０は、虹彩画像を撮影する。コード取得部１２０は、撮影された虹彩画像に関連するコードを取得する。コード表示部１３０は、情報出力装置２００に相当する装置が撮影するコードとして、取得されたコードを表示する。情報出力装置２００に相当する装置は、コードを撮影し、撮影したコードを用いて、虹彩画像に関連する個人の救護情報を取得し、救護情報を出力する。
【０１２７】
図４に示されている情報表示装置１００は、図１に示されている情報表示装置１００と同様の構成を含む。情報表示装置１００は、情報提供装置３００と同様の機能を備える装置と接続されている。
【０１２８】
このように構成された情報表示装置１００は、各構成を用いて、情報表示装置１００の所有者などの虹彩画像を用いてコードを表示する。
【０１２９】
その理由は、図４に示されている情報表示装置１００の各構成が、図１を参照して説明した情報表示装置１００の構成と同様に動作するためである。
【０１３０】
なお、図４に示されている情報表示装置１００は、第１の実施形態における情報表示装置１００の最小構成の一例である。
【０１３１】
図５は、第１の実施形態にかかる情報出力装置２００の概要の一例を示すブロック図である。
【０１３２】
情報出力装置２００は、撮影部２１０（第２の撮影部）と、救護情報取得部２２０と、救護情報出力部２３０とを含む。撮影部２１０は、情報表示装置１００に相当する装置が表示したコードを撮影する。情報表示装置１００に相当する装置は、虹彩画像を撮影し、撮影された虹彩画像に関連するコードを取得し、取得されたコードを表示する。救護情報取得部２２０は、撮影したコードを用いて、虹彩画像に関連する個人の救護情報を取得する。救護情報出力部２３０は、救護情報を出力する。
【０１３３】
図５に示されている情報出力装置２００は、図１に示されている情報出力装置２００と同様の構成を含む。情報出力装置２００は、情報提供装置３００と同様の機能を備える装置と接続されている。
【０１３４】
このように構成された情報出力装置２００は、各構成を用いて、情報表示装置１００が表示したコードに関連した救護情報を出力する。
【０１３５】
その理由は、図５に示されている情報出力装置２００の各構成が、図１を参照して説明した情報出力装置２００の構成と同様に動作するためである。
【０１３６】
なお、図５に示されている情報出力装置２００は、第１の実施形態における情報出力装置２００の最小構成の一例である。
【０１３７】
［ハードウェア構成］
次に、情報表示装置１００、情報出力装置２００、及び、情報提供装置３００（以下、「情報表示装置１００など」と呼ぶ）のハードウェア構成について説明する。
【０１３８】
情報表示装置１００などの各構成部は、ハードウェア回路で構成されてもよい。
【０１３９】
あるいは、情報表示装置１００などにおいて、各構成部は、ネットワークを介して接続した複数の装置を用いて、構成されてもよい。
【０１４０】
あるいは、情報表示装置１００などにおいて、複数の構成部は、１つのハードウェアで構成されてもよい。
【０１４１】
あるいは、情報表示装置１００などは、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）とを含むコンピュータとして実現されてもよい。情報表示装置１００などは、上記構成に加え、さらに、入出力接続回路（ＩＯＣ：Ｉｎｐｕｔ  ａｎｄ  Ｏｕｔｐｕｔ  Ｃｉｒｃｕｉｔ）を含むコンピュータとして実現されてもよい。情報表示装置１００などは、上記構成に加え、さらに、ネットワークインターフェース回路（ＮＩＣ：Ｎｅｔｗｏｒｋ  Ｉｎｔｅｒｆａｃｅ  Ｃｉｒｃｕｉｔ）を含むコンピュータとして実現されてもよい。
【０１４２】
図６は、第１の実施形態にかかる情報表示装置１００などのハードウェア構成の一例である情報処理装置６００の構成を示すブロック図である。
【０１４３】
情報処理装置６００は、ＣＰＵ６１０と、ＲＯＭ６２０と、ＲＡＭ６３０と、内部記憶装置６４０と、ＩＯＣ６５０と、ＮＩＣ６８０とを含み、コンピュータを構成している。
【０１４４】
ＣＰＵ６１０は、ＲＯＭ６２０及び／又は内部記憶装置６４０からプログラムを読み込む。そして、ＣＰＵ６１０は、読み込んだプログラムに基づいて、ＲＡＭ６３０と、内部記憶装置６４０と、ＩＯＣ６５０と、ＮＩＣ６８０とを制御する。
【０１４５】
そして、ＣＰＵ６１０を含むコンピュータは、これらの構成を制御し、図１に示されている、情報表示装置１００などの各機能を実現する。例えば、ＣＰＵ６１０を含むコンピュータは、情報表示装置１００における撮影部１１０と、コード取得部１２０と、コード表示部１３０としての各機能を実現する。あるいは、ＣＰＵ６１０を含むコンピュータは、情報出力装置２００における撮影部２１０と、救護情報取得部２２０と、救護情報出力部２３０としての各機能を実現する。あるいは、ＣＰＵ６１０を含むコンピュータは、情報提供装置３００における情報保存部３１０と情報提供部３２０としての各機能を実現する。
【０１４６】
なお、撮影部１１０又は撮影部２１０としての機能を実現する場合、ＣＰＵ６１０を含むコンピュータは、図示しないカメラなどの撮影機器を含んでもよい。この場合、撮影機器は、ＣＰＵ６１０からの指示に基づいて虹彩を撮影する。例えば、ＣＰＵ６１０を含むコンピュータは、撮影部１１０又は撮影部２１０に用いる撮影機器として、後ほど説明する入力機器６６０を用いてもよい。この場合、ＣＰＵ６１０を含むコンピュータは、入力機器６６０を含んでもよい。ただし、入力機器６６０は、コンピュータに含まれなくてもよい。
【０１４７】
ＣＰＵ６１０は、各機能を実現する際に、ＲＡＭ６３０又は内部記憶装置６４０を、プログラムの一時記憶媒体として使用してもよい。
【０１４８】
また、ＣＰＵ６１０は、コンピュータで読み取り可能にプログラムを記憶した記録媒体７００が含むプログラムを、図示しない記憶媒体読み取り装置を用いて読み込んでもよい。あるいは、ＣＰＵ６１０は、ＮＩＣ６８０を介して、図示しない外部の装置からプログラムを受け取り、ＲＡＭ６３０又は内部記憶装置６４０に保存して、保存したプログラムを基に動作してもよい。
【０１４９】
ＲＯＭ６２０は、ＣＰＵ６１０が実行するプログラム及び固定的なデータを記憶する。ＲＯＭ６２０は、例えば、Ｐ−ＲＯＭ（Ｐｒｏｇｒａｍｍａｂｌｅ−ＲＯＭ）又はフラッシュＲＯＭである。
【０１５０】
ＲＡＭ６３０は、ＣＰＵ６１０が実行するプログラム及びデータを一時的に記憶する。ＲＡＭ６３０は、例えば、Ｄ−ＲＡＭ（Ｄｙｎａｍｉｃ−ＲＡＭ）である。
【０１５１】
内部記憶装置６４０は、情報処理装置６００が長期的に保存するデータ及びプログラムを記憶する。また、内部記憶装置６４０は、ＣＰＵ６１０の一時記憶装置として動作してもよい。内部記憶装置６４０は、例えば、ハードディスク装置、光磁気ディスク装置、ＳＳＤ（Ｓｏｌｉｄ  Ｓｔａｔｅ  Ｄｒｉｖｅ）又はディスクアレイ装置である。
【０１５２】
ＲＯＭ６２０と内部記憶装置６４０とは、不揮発性（ｎｏｎ−ｔｒａｎｓｉｔｏｒｙ）の記憶媒体である。一方、ＲＡＭ６３０は、揮発性（ｔｒａｎｓｉｔｏｒｙ）の記憶媒体である。そして、ＣＰＵ６１０は、ＲＯＭ６２０、内部記憶装置６４０、又は、ＲＡＭ６３０に記憶されているプログラムを基に動作可能である。つまり、ＣＰＵ６１０は、不揮発性記憶媒体又は揮発性記憶媒体を用いて動作可能である。
【０１５３】
ＩＯＣ６５０は、ＣＰＵ６１０と、入力機器６６０及び表示機器６７０とのデータを仲介する。ＩＯＣ６５０は、例えば、ＩＯインターフェースカード又はＵＳＢ（Ｕｎｉｖｅｒｓａｌ  Ｓｅｒｉａｌ  Ｂｕｓ）カードである。さらに、ＩＯＣ６５０は、ＵＳＢのような有線に限らず、無線を用いてもよい。
【０１５４】
入力機器６６０は、情報処理装置６００の操作者からの入力指示を受け取る機器である。入力機器６６０は、例えば、キーボード、マウス又はタッチパネルである。入力機器６６０は、撮影部１１０又は撮影部２１０に用いられる撮影機器でもよい。
【０１５５】
表示機器６７０は、情報処理装置６００の操作者に情報を提示する機器である。例えば、コード表示部１３０は、表示機器６７０にコードを表示してもよい。あるいは、救護情報出力部２３０は、表示機器６７０に救護情報を出力してもよい。表示機器６７０は、例えば、液晶ディスプレイ、有機エレクトロルミネッセンス・ディスプレイ、又は、電子ペーパーである。
【０１５６】
ＮＩＣ６８０は、ネットワークを介した情報表示装置１００などとの間、及び、情報表示装置１００などと図示しない外部の装置とのデータのやり取りを中継する。ＮＩＣ６８０は、例えば、ＬＡＮ（Ｌｏｃａｌ  Ａｒｅａ  Ｎｅｔｗｏｒｋ）カードである。さらに、ＮＩＣ６８０は、有線に限らず、無線を用いてもよい。
【０１５７】
このように構成された情報処理装置６００は、情報表示装置１００などと同様の効果を得ることができる。
【０１５８】
その理由は、情報処理装置６００のＣＰＵ６１０が、プログラムに基づいて情報表示装置１００などと同様の機能を実現できるためである。
【０１５９】
＜第２の実施形態＞
虹彩画像は、センシティブ情報である。虹彩画像の通信は、安全性を確保した通信路での通信を用いた方が望ましい。また、個人の虹彩画像と、その個人の救護情報とは、関連付けられない方が望ましい。
【０１６０】
そこで、第２の実施形態として、虹彩画像の通信の安全性を向上させた救護情報提供システム４０２を説明する。ただし、第２の実施形態は、第１の実施形態と同様に、情報表示装置１０１の所有者の不在時には、コードを提供しない。
【０１６１】
また、災害時などは、通信路などの混雑が予想される。そこで、第２の実施形態は、コードの表示の際における、コードの取得のための通信を避ける構成となっている。
【０１６２】
なお、以下の説明において第１の実施形態と同様の構成及び動作については、適宜省略する。
【０１６３】
図７は、第２の実施形態にかかる救護情報提供システム４０２の構成の一例を示すブロック図である。
【０１６４】
なお、図７は、救護情報提供システム４０２に含まれる各装置の数を限定するものではない。例えば、救護情報提供システム４０２は、複数の情報出力装置２００を含んでもよい。また、救護情報提供システム４０２を構成する各装置は、図６に示されているコンピュータを用いて構成されてもよい。なお、コンピュータを用いて各装置を実現する場合、救護情報提供システム４０２は、必要に応じて、カメラなどの撮影機器を含んでもよい。
【０１６５】
救護情報提供システム４０２は、情報表示装置１０１と、情報出力装置２００と、情報提供装置３０１と、情報提供装置３０２とを含む。
【０１６６】
情報提供装置３０１は、情報保存部３１１と、情報提供部３２１とを含む。
【０１６７】
情報保存部３１１は、情報表示装置１０１に提供する情報を保存する。本実施形態の説明では、情報保存部３１１は、虹彩画像とコードとを関連付けて保存する。ただし、これは、本実施形態を限定する意図ではない。情報保存部３１１が保存する情報は、上記に限定されない。
【０１６８】
情報提供部３２１は、情報表示装置１０１から受信した虹彩画像に関連するコードを、情報表示装置１０１に提供する。
【０１６９】
情報提供装置３０２は、情報保存部３１２と、情報提供部３２２とを含む。
【０１７０】
情報保存部３１２は、情報出力装置２００に提供する救護情報を保存する。本実施形態の説明では、情報保存部３１２は、コードと救護情報とを関連付けて保存する。ただし、これは、本実施形態を限定する意図ではない。情報保存部３１１が保存する情報は、上記に限定されない。
【０１７１】
情報提供部３２２は、情報出力装置２００から受信したコードに関連する救護情報を、情報出力装置２００に提供する。
【０１７２】
情報出力装置２００の構成は、第１の実施形態と同様である。ただし、情報出力装置２００は、情報提供装置３０２と接続されている。そして、情報出力装置２００は、第１の実施形態と同様に、撮影したコードを用いて情報提供装置３０２から救護情報を取得し、取得した救護情報を出力する。情報出力装置２００は、虹彩画像を保存している情報提供装置３０１と接続する必要がない。
【０１７３】
情報表示装置１０１は、情報表示装置１００の構成に加え、コード保存部１４０と、指示取得部１５０とを含む。
【０１７４】
コード取得部１２０は、情報提供装置３０１から、撮影部１１０が撮影した虹彩画像に関連するコードを取得する。そして、コード取得部１２０は、取得したコード及び虹彩画像の保存をコード保存部１４０に依頼する。
【０１７５】
なお、コード取得部１２０は、撮影部１１０が撮影した虹彩画像を基にコードを生成して、生成したコードをコード保存部１４０に保存してもよい。この場合、情報表示装置１０１は、コードの不正な再生成を防ぐため、コードの再生成を停止できることが望ましい。
【０１７６】
さらに、コード取得部１２０は、指示を基に虹彩画像を撮影し、撮影した虹彩画像を用いてコード保存部１４０に保存されているコードを取得し、取得したコードをコード表示部１３０に表示する。
【０１７７】
コード保存部１４０は、コードと、虹彩画像とを保存する。
【０１７８】
コード保存部１４０は、複数の虹彩画像とそれらに関連付けられているコードとを保存してもよい。この場合、コード保存部１４０は、虹彩画像とコードとを関連付けて保存する。
【０１７９】
さらに、コード保存部１４０は、虹彩画像に関連付けて保存するコードのとして、１つのコードに限られず、複数のコードを保存してもよい。この場合、コード取得部１２０は、選択規則に基づいて、複数のコードの中から表示するために取得するコードを選択してもよい。例えば、コード取得部１２０は、表示のたびに、ランダムにコードを選択してもよい。
【０１８０】
さらに、コード取得部１２０は、表示するコードを変えるタイミングを、限定されない。例えば、コード取得部１２０は、コードの表示の回数が所定の数を超えると、コードを変更してもよい。あるいは、コード取得部１２０は、所定の時間間隔で、コードを変更してもよい。
【０１８１】
指示取得部１５０は、次に説明する一連の動作に対する指示を取得する。一連の動作とは、撮影部１１０における虹彩画像を撮影する動作と、コード取得部１２０における撮影した虹彩画像に関連するコードをコード保存部１４０から取得する動作と、コード表示部１３０における取得したコードを表示する動作とを含む動作である。
【０１８２】
指示取得部１５０は、例えば、情報表示装置１０１におけるスイッチ、キー、又は、タッチパネルである。あるいは、指示取得部１５０は、情報表示装置１０１が備えている加速度センサ、又は、回転センサでもよい。
【０１８３】
そして、情報表示装置１０１は、詳細には、次のように動作する。
【０１８４】
情報表示装置１０１は、予め、撮影部１１０を用いて虹彩を撮影し、コード取得部１２０を用いて情報提供装置３０１から虹彩画像に関連するコードを取得し、コード保存部１４０に虹彩画像とコードとを保存する。例えば、情報表示装置１０１は、情報表示装置１０１の所有者の虹彩画像と、その虹彩画像に関連するコードとを保存する。
【０１８５】
情報表示装置１０１が情報提供装置３０１からコードを取得するために用いる通信路は、安全な通信路（例えば、ケーブルなどを用いた直接的な接続、専用回線、又は、安全性を確保された施設内のイントラネット接続）であることが望ましい。
【０１８６】
そして、コード取得部１２０は、指示取得部１５０からの指示を基に撮影部１１０に虹彩の撮影を依頼して虹彩画像を取得する。
【０１８７】
そして、コード取得部１２０は、コード保存部１４０が保存しているコードの中から、撮影された虹彩画像と一致する虹彩画像に関連するコードを取得する。
【０１８８】
コード取得部１２０における一致の判定は、情報提供部３２０における一致の判定と同様に、完全な一致に加え、ある程度の範囲の一致を含んでもよい。コード取得部１２０は、撮影された虹彩画像と所定の範囲で一致する虹彩画像に関連するコードを取得してもよい。
【０１８９】
なお、コード保存部１４０が複数の虹彩画像を保存する場合、コード取得部１２０は、所定のやり方を用いて、撮影した虹彩画像に最も一致する虹彩画像に関連するコードを取得する。この場合の一致の判定として、コード取得部１２０は、情報提供部３２０における虹彩画像の一致の判定と同様の判定を用いてもよい。
【０１９０】
例えば、コード取得部１２０は、撮影した虹彩画像に最も一致している虹彩画像を選択し、選択した虹彩画像に関連するコードを取得してもよい。
【０１９１】
なお、コード保存部１４０が一つの虹彩画像を保存する場合、コード取得部１２０は、撮影した虹彩画像と保存している虹彩画像が一致した場合、コードを取得する。この場合、情報表示装置１０１は、その虹彩に対応する個人に関連するコードを表示する装置となる。情報表示装置１０１を個人用の装置として用いる場合としては、コード保存部１４０が保存する虹彩画像は、１つの虹彩画像に限られない。例えば、コード保存部１４０は、個人の２つの眼（左眼と右眼）の虹彩画像とその虹彩画像に関連するコードとを保存してもよい。
【０１９２】
そして、コード表示部１３０は、コード取得部１２０が取得したコードを表示する。
【０１９３】
このように、情報表示装置１０１は、指示取得部１５０が指示を取得したときに撮影した虹彩画像が、予め保存している虹彩画像と一致すると、虹彩画像に関連したコードを表示する。そのため、情報表示装置１０１は、保存している虹彩画像に関連する者が不在などで虹彩画像を撮影できない場合において、コードの表示を避けることができる。保存している虹彩画像に関連する者とは、例えば、情報表示装置１０１の所有者である。
【０１９４】
そして、情報出力装置２００がコードから救護情報を取得するために用いる通信路及び通信相手（情報提供装置３０２）は、情報表示装置１０１が虹彩画像からコードを取得するために用いる通信路及び通信相手（情報提供装置３０１）と異なる。そのため、情報出力装置２００は、コードを用いても、虹彩画像を取得することができない。
【０１９５】
さらに、救護情報提供システム４０２が、情報表示装置１０１と情報提供装置３０１との通信路として、安全性の高い通信路を用いる場合、救護情報提供システム４０２は、虹彩画像の漏洩の可能性をさらに低減できる。
【０１９６】
情報表示装置１０１は、コード保存部１４０が保存しているコードに対して、コードを保存する期間、又は、コード取得部１２０が取得する回数に制限を設定してもよい。例えば、情報表示装置１０１は、コード取得部１２０が所定の回数コードを取得した場合、コード保存部１４０に保存されているコードを削除し、情報表示装置１０１の利用者などに対してコードの再取得を依頼してもよい。
【０１９７】
［効果の説明］
次に、第２の実施形態にかかる救護情報提供システム４０２の効果について説明する。
【０１９８】
第２の実施形態にかかる救護情報提供システム４０２は、第１の実施形態の効果に加え、虹彩画像の安全性を向上するとの効果を提供することができる。
【０１９９】
その理由は、情報出力装置２００が、コードを用いて救護情報を取得する通信路として、情報表示装置１０１が虹彩画像を用いてコードを受信するための通信路と異なる通信路を使用するためである。
【０２００】
情報表示装置１０１がコードを取得する通路として、安全性が高い通信路を用いる場合、救護情報提供システム４０２は、さらに、虹彩画像の通信の安全性を向上できる。
【０２０１】
また、救護情報提供システム４０２は、情報表示装置１０１が保存している虹彩画像に関連する者が不在の場合に、コードを保護するとの効果を奏する。その理由は、情報表示装置１０１が、指示取得部１５０の指示をしたがって撮影された虹彩画像に関するコードを表示するためである。
【０２０２】
＜第３の実施形態＞
個人を特定するための情報として、識別子（Ｉｄｅｎｔｉｆｉｅｒ（ＩＤ））が広く用いられている。そこで、救護情報提供システム４００は、虹彩画像と識別子とを組み合わせて用いてもよい。
【０２０３】
そこで、第３の実施形態として、識別子を用いた場合の例を説明する。
【０２０４】
図８は、第３の実施形態にかかる救護情報提供システム４０３の構成の一例を示すブロック図である。
【０２０５】
なお、図８は、救護情報提供システム４０３に含まれる各装置の数を限定するものではない。例えば、救護情報提供システム４０３は、複数の情報出力装置２００を含んでもよい。また、救護情報提供システム４０３を構成する各装置は、図６に示されているコンピュータを用いて構成されてもよい。なお、コンピュータを用いて各装置を実現する場合、救護情報提供システム４０３は、必要に応じて、カメラなどの撮影機器を含んでもよい。
【０２０６】
救護情報提供システム４０３は、情報表示装置１０２と、情報出力装置２００と、情報提供装置３０３とを含む。
【０２０７】
情報提供装置３０３は、情報保存部３１３と、情報提供部３２３とを含む。
【０２０８】
情報保存部３１３は、虹彩画像と、ＩＤ（識別子）と、コードと、救護情報とを含む。
【０２０９】
情報保存部３１３は、虹彩画像とＩＤとを関連付けて保存する。例えば、情報提供装置３０３は、取得した虹彩画像に対して画像認証などを用いて個人を特定し、特定した個人のＩＤと虹彩画像とを関連付けて情報保存部３１３に保存する。あるいは、情報提供装置３０３は、図示しない装置から、虹彩画像とＩＤとこれらを関連付ける情報とを取得し、虹彩画像とＩＤとを関連付けて保存してもよい。
【０２１０】
さらに、情報保存部３１３は、ＩＤとコードとを関連付けて保存する。
【０２１１】
さらに、情報保存部３１３は、コードと救護情報とを関連付けて保存する。
【０２１２】
本実施形態において、コードは、虹彩画像とＩＤとを組み合わせたデータをコードの元データとして用いて生成されてもよい。このように、コードは、虹彩画像と、その個人に関連する他の情報とを組み合わせた情報から生成されてもよい。虹彩画像は、少なくとも一部が安定しない情報である。これに対し、ＩＤは、変化しない情報である。そのため、ＩＤを用いてコードを生成すると、虹彩画像を用いて生成した場合に比べ、生成されるコードが安定する。言い換えると、ＩＤを用いてコードを生成する場合、コードの一致精度が向上する。
【０２１３】
なお、救護情報提供システム４０３は、コードの認証として、認証用データを用いてもよい。つまり、救護情報提供システム４０３は、情報提供装置３０３が情報出力装置２００から受信する情報として、コードに加え、認証用データを受信してもよい。
【０２１４】
救護情報提供システム４０３は、認証用データとして、例えば、ＩＤをハッシュ関数に適用して求めたハッシュを用いてもよい。
【０２１５】
ただし、認証用データは、ＩＤのハッシュに限定されない。例えば、コードは、ＩＤの一部（例えば、上位又は下位の所定数のビット）を含んで生成されてもよい。この場合、救護情報提供システム４０３は、認証用データとして、コードに含まれないＩＤのビットをそのまま用いてもよい。情報提供装置３０３は、コードに含めるビットと認証用データに含まれるビットとの組合せと、ＩＤとの比較を基に、コードを認証できる。
【０２１６】
情報提供部３２３は、情報表示装置１０２及び情報出力装置２００に対して、情報を提供する。
【０２１７】
情報表示装置１０２は、第１の実施形態の情報表示装置１００と比べ、コード取得部１２０に替えてコード取得部１２１を含み、さらに、ＩＤ取得部１６０を含む。
【０２１８】
ＩＤ取得部１６０は、撮影部１１０からの虹彩画像を用いて、情報提供装置３０３からＩＤを取得する。ＩＤ取得部１６０は、識別子取得部と呼んでもよい。
【０２１９】
コード取得部１２１は、ＩＤを用いて、情報提供装置３０３から、コードを取得する。
【０２２０】
コード表示部１３０は、コードを表示する。
【０２２１】
情報出力装置２００は、第１の実施形態の情報出力装置２００と同様に動作する。
【０２２２】
なお、救護情報提供システム４０３が認証用データを用いる場合、各装置は、例えば、次のように動作する。
【０２２３】
情報表示装置１０２は、情報提供装置３０３から、コードに加え、認証用データを取得する。そして、情報表示装置１０２は、情報出力装置２００に認証用データを提供する。例えば、情報表示装置１０２は、近距離通信を用いて、情報出力装置２００に認証用データを提供する。コードは表示機器に表示されるため、離れた場所から撮影される可能性がある。しかし、離れている場所からでは、認証用データは、取得されない。このように、認証用データは、コードとは異なる安全性を備えている。
【０２２４】
情報出力装置２００は、情報表示装置１０２から取得した認証用データを、コードに合わせて情報提供装置３０３に送信する。
【０２２５】
情報提供装置３０３は、コードと認証用データとを用いて、情報出力装置２００を認証する。そして、情報提供装置３０３は、認証された情報出力装置２００に対して、救護情報を提供する。
【０２２６】
［効果の説明］
次に、第３の実施形態にかかる救護情報提供システム４０３の効果について説明する。
【０２２７】
救護情報提供システム４０３は、第１の実施形態の効果に加え、コードの一致精度を向上させるとの効果を奏する。
【０２２８】
その理由は、救護情報提供システム４０３が、虹彩画像に加え、ＩＤを用いてコードを生成するためである。
【０２２９】
さらに、認証用データを用いる場合、救護情報提供システム４０３は、さらに、救護情報の提供の安全性を向上するとの効果を奏する。
【０２３０】
なお、識別子（ＩＤ）は、一般的な情報処理システムにおいて、広く用いられている。例えば、救護情報提供システム４０３は、一般的な情報処理システムに対して、虹彩画像に関連する構成を追加することで、必要となる主な構成を実現することができる。つまり、救護情報提供システム４０３は、第１の実施形態などと比べ、一般的な情報処理システムからの構築が容易であるとの効果を奏する。
【０２３１】
＜第４の実施形態＞
同じ個人に対しても、救護に関連する組織に応じて、その個人に対する救護に必要となる救護情報が異なる。例えば、災害の避難者に対して、家族などに連絡するためには連絡先が必要であり、食事などを提供する場合にはアレルギーなどの情報が必要である。
【０２３２】
そこで、第４の実施形態として、情報出力装置２０１それぞれに関連して、出力される救護情報が変更する実施形態について説明する。
【０２３３】
以下の説明において、情報出力装置２０１には、それぞれ、取得できる救護情報に範囲に対する権限が設定されている。情報出力装置２０１に対する権限の設定のやり方は、限定されない。例えば、情報出力装置２０１が、それぞれ、権限を保存してもよい。あるいは、情報出力装置２００が設けられている組織の外部との窓口となる装置（例えば、ゲートウェイ）が、権限を保存してもよい。つまり、情報出力装置２００を含む組織のシステムが、権限を保存してもよい。以下の説明では、一例として、情報出力装置２０１が、それぞれ、権限を保存する。
【０２３４】
図９は、第４の実施形態にかかる救護情報提供システム４０４の構成の一例を示すブロック図である。
【０２３５】
なお、図９は、救護情報提供システム４０４に含まれる各装置の数を限定するものではない。例えば、救護情報提供システム４０４は、複数の情報出力装置２０１を含んでもよい。また、救護情報提供システム４０４を構成する各装置は、図６に示されているコンピュータを用いて構成されてもよい。なお、コンピュータを用いて各装置を実現する場合、救護情報提供システム４０４は、必要に応じて、カメラなどの撮影機器を含んでもよい。
【０２３６】
救護情報提供システム４０４は、情報表示装置１００と、情報出力装置２０１と、情報提供装置３０４とを含む。
【０２３７】
情報提供装置３０４は、情報保存部３１４と、情報提供部３２４とを含む。
【０２３８】
情報保存部３１４は、第１の実施形態の情報保存部３１０と同様の情報に加え、さらに権限情報を保存する。
【０２３９】
権限情報とは、救護情報に関する権限（以下、単に「権限」と呼ぶ）と、権限に対する救護情報の範囲とを関連付けた情報である。
【０２４０】
情報提供部３２４は、情報出力装置２０１からコードを受信するときに、情報出力装置２０１に設定されている権限を受信する。そして、情報提供部３２４は、権限情報を用いて、受信した権限の範囲内の救護情報を情報出力装置２０１に提供する。
【０２４１】
情報表示装置１００は、第１の実施形態の情報表示装置１００と同様に、虹彩画像に関連するコードを表示する。
【０２４２】
情報出力装置２０１は、情報出力装置２００に含まれる構成に加え、権限保存部２４０を含む。
【０２４３】
権限保存部２４０は、情報出力装置２００に設定されている権限を保存する。
【０２４４】
救護情報取得部２２０は、撮影したコードと権限とを情報提供装置３０４に送信する。
【０２４５】
例えば、救護情報提供システム４０４が、医療機関に設けられた情報出力装置２０１と、迷子センターに設けられた情報出力装置２０１とを含む場合の例を説明する。
【０２４６】
医療機関に設けられた情報出力装置２０１は、権限「医療」を保存している。
【０２４７】
迷子センターに設けられた情報出力装置２０１は、権限「迷子」を保存している。
【０２４８】
情報提供装置３０４は、権限情報として、権限「医療」に対する救護情報の範囲（以下、「医療範囲」と呼ぶ）を、権限「迷子」に対する救護情報の範囲（以下、「迷子範囲」と呼ぶ）を保存している。
【０２４９】
そして、情報提供装置３０４は、情報出力装置２０１からコードと権限「医療」とを受信した場合、コードに関連する救護情報の中で「医療範囲」に含まれる情報（例えば、治療歴、薬歴、及びアレルギー情報）を、情報出力装置２０１に送信する。
【０２５０】
一方、情報提供装置３０４は、情報出力装置２０１からコードと権限「迷子」とを受信した場合、コードに関連する救護情報の中で「迷子範囲」に含まれる情報（例えば、親の電話番号、メールアドレス、又は、住所）を、情報出力装置２０１に送信する。
【０２５１】
このように、救護情報提供システム４０４は、権限を用いて、情報出力装置２０１に提供する情報の範囲を制限する。
【０２５２】
なお、情報提供装置３０４は、予め、各情報出力装置２０１に関連した権限情報を保存してもよい。この場合、情報出力装置２０１は、権限保存部２４０を含まなくてもよい。
【０２５３】
［効果の説明］
次に、第４の実施形態にかかる救護情報提供システム４０４の効果について説明する。
【０２５４】
救護情報提供システム４０４は、第１の実施形態の効果に加え、情報出力装置２０１に設定されている権限に基づいて、情報出力装置２０１に提供される救護情報の範囲を設定するとの効果を奏する。
【０２５５】
その理由は、情報提供装置３０４が、情報出力装置２０１から受信した権限又は情報出力装置２０１に設定されている権限に関連した範囲の救護情報を送信するためである。
【０２５６】
＜第５の実施形態＞
左右の虹彩は、異なる。つまり、各個人に対して、個人を特定するための虹彩画像は、２つである。そこで、第５の実施形態として、個人における２つの虹彩画像を用いる実施形態を説明する。
【０２５７】
以下の第５の実施形態の説明として、図１の救護情報提供システム４００を用いて説明する。ただし、これは、第５の実施形態を図１に示されている救護情報提供システム４００に限定するものではない。第５の実施形態は、第２の実施形態ないし第４の実施形態に適用されてもよい。
【０２５８】
以下の説明において、第１の実施形態と同様の構成及び動作の説明を省略し、第５の実施形態に特有の内容を説明する。なお、以下の説明において、片眼の虹彩に関連する画像を「片眼の虹彩画像」、片眼の虹彩画像に関連するコードを「片眼のコード」と呼ぶ。また、両眼の虹彩に関連する画像を「両眼の虹彩画像」、両眼の虹彩画像に関連するコードを「両眼のコード」と呼ぶ。左眼及び右眼に関しても同様とする。
【０２５９】
一般的に、両眼の虹彩画像の取得は、片眼の虹彩画像の取得より、処理時間が必要である。緊急時は、少しでも時間を節約したい場合がある。また、事故などの被害者は、傷などの片眼しか虹彩画像を取得できない場合も想定される。
【０２６０】
そこで、一例として、片眼のコードを取得した場合には緊急時などに必要な簡潔な救護情報を出力し、両眼のコードを取得した場合にはより詳細な救護情報を出力する場合を説明する。
【０２６１】
情報表示装置１００は、情報表示装置１００の操作者の指示（例えば、キー操作）に応じて、片眼又は両眼の虹彩を撮影し、片眼のコード又は両眼のコードを表示する。ここで、操作者は、情報表示装置１００の所有者に限定されない。例えば、操作者は、救急隊員である。
【０２６２】
情報出力装置２００は、情報表示装置１００が表示するコードを撮影し、撮影したコードを情報提供装置３００に送信する。
【０２６３】
情報提供装置３００の情報提供部３２０は、受信したコードが、片眼のコードであるか、両眼のコードであるかを判定し、判定結果を基に情報出力装置２００に提供する救護情報を変更する。
【０２６４】
例えば、情報提供部３２０は、片眼のコードを受信した場合、救急などで必要となる簡潔な救護情報を提供する。一方、情報提供部３２０は、両眼のコードを受信した場合、救護情報として、投薬のために必要となる情報及び／又は入院などに必要な詳細な救護情報を提供する。
【０２６５】
このように、救護情報取得部２２０が片眼のコードを用いて取得する救護情報は、両眼のコードを用いて取得する救護情報と、少なくとも一部が異なる。この場合の「異なる」は、情報の有無、すなわち、救護情報が包含関係となっている場合を含む。
【０２６６】
あるいは、救護情報提供システム４００は、右眼のコードと左眼のコードとを区別して用いてもよい。この場合、情報提供部３２０は、コードの左右の区別に基づいて、提供する救護情報を変更してもよい。例えば、情報表示装置１００の所有者が２つの診療科に掛かっている場合、情報提供部３２０は、左眼のコードに対しては、いずれか一の診療科に関する救護情報を提供し、右眼のコードに対して別の診療科に関する救護情報を提供してもよい。
【０２６７】
あるいは、例えば、交通事故などの場合、情報提供部３２０は、被害者の左眼のコードに対しては警察官に必要な救護情報を提供し、被害者の右眼のコードに対して救急隊員に必要な救護情報を提供してもよい。
【０２６８】
救護情報提供システム４００は、上記の組合せ、つまり、左眼のコード、右眼のコード、及び両眼のコードの３つのコードを用いてもよい。
【０２６９】
［効果の説明］
次に、第５の実施形態の効果について説明する。
【０２７０】
第５の実施形態は、第１の実施形態の効果に加え、利用する眼に基づいて、情報出力装置２００に提供する救護情報を変更できるとの効果を奏する。
【０２７１】
その理由は、次のとおりである。
【０２７２】
情報表示装置１００は、片眼のコード、又は、両眼のコードを表示する。あるいは、情報表示装置１００は、左眼のコード、又は、右眼のコードを表示する。情報提供装置３００は、情報出力装置２００から受信したコードがいずれの眼に関連するかに基づいて、提供する救護情報を変更する。
【０２７３】
例えば、第５の実施形態にかかる救護情報提供システム４００は、情報表示装置１００に所有者に関して、複数の診療科に対応する救護情報を提供できる。
【０２７４】
なお、各実施形態は、組み合わせて用いられてもよい。
【０２７５】
上記の実施形態の一部又は全部は、以下の付記のようにも記載されうるが、以下には限られない。
【０２７６】
（付記１）
虹彩画像を撮影する第１の撮影手段と、
撮影された虹彩画像に関連するコードを取得するコード取得手段と、
取得されたコードを表示するコード表示手段と、
を含む情報表示装置と、
情報表示装置が表示したコードを撮影する第２の撮影手段と、
撮影したコードを用いて、虹彩画像に関連する個人の救護情報を取得する救護情報取得手段と、
救護情報を出力する救護情報出力手段と
を含む情報出力装置と
を含む救護情報提供システム。
【０２７７】
（付記２）
救護情報出力手段が、
救護情報を基に、他の装置に情報を送信する
付記１に記載の救護情報提供システム。
【０２７８】
（付記３）
情報表示装置が、
虹彩画像とコードとを関連付けて保存するコード保存手段と、
コードの表示の指示を取得する指示取得手段と
をさらに含み、
第１の撮影手段が、指示を基に虹彩画像を撮影し、
コード取得手段が、コード保存手段に保存されている虹彩画像の中で、撮影された虹彩画像と所定の範囲で一致する虹彩画像に関連するコードを取得する
付記１又は２に記載の救護情報提供システム。
【０２７９】
（付記４）
情報出力装置が、救護情報を関する権限を有し、
救護情報取得手段が、権限に関連する救護情報を取得する
付記１ないし３のいずれか１項に記載の救護情報提供システム。
【０２８０】
（付記５）
情報表示装置が、さらに、
虹彩画像を用いて個人の識別子を取得する識別子取得手段を含み、
コード取得手段が、取得した識別子を用いてコードを取得する
付記１ないし４のいずれか１項に記載の救護情報提供システム。
【０２８１】
（付記６）
コードが、識別子の少なくとも一部を含む
付記５に記載に救護情報提供システム。
【０２８２】
（付記７）
コード取得手段が、
第１の撮影手段が片眼の虹彩画像を撮影した場合に片眼のコードを取得し、第１の撮影手段が両眼の虹彩画像を撮影した場合に両眼のコードを取得し、
救護情報取得手段が、
第２の撮影手段が両眼のコードを撮影した場合に、第２の撮影手段が片眼のコードを撮影した場合に取得する救護情報と、少なくとも一部が異なる救護情報を取得する
付記１ないし６のいずれか１項に記載の救護情報提供システム。
【０２８３】
（付記８）
コード取得手段が、
第１の撮影手段が左眼の虹彩画像を撮影した場合に左眼のコードを取得し、第１の撮影手段が右眼の虹彩画像を撮影した場合に右眼のコードを取得し、
救護情報取得手段が、
第２の撮影手段が左眼のコードを撮影した場合に、第２の撮影手段が右眼のコードを撮影した場合に取得する救護情報と、少なくとも一部が異なる救護情報を取得する
付記７に記載の救護情報提供システム。
【０２８４】
（付記９）
コードが、一次元コード又は二次元コードである
付記１ないし８のいずれか１項に記載の救護情報提供システム。
【０２８５】
（付記１０）
虹彩画像を基にコードと提供し、
コードを基に救護情報を提供する
情報提供装置
をさらに含む、付記１ないし９のいずれか１項に記載の救護情報提供システム。
【０２８６】
（付記１１）
コードの情報量が、虹彩画像の情報量より少ない
付記１ないし１０のいずれか１項に記載の救護情報提供システム。
【０２８７】
（付記１２）
虹彩画像を撮影する第１の撮影手段と、
撮影された虹彩画像に関連するコードを取得するコード取得手段と、
コードを撮影し、
撮影したコードを用いて、虹彩画像に関連する個人の救護情報を取得し、
救護情報を出力する
情報出力装置が撮影するコードとして、取得されたコードを表示するコード表示手段と、
を含む情報表示装置。
【０２８８】
（付記１３）
虹彩画像を撮影し、
撮影された虹彩画像に関連するコードを取得し、
取得されたコードを表示する
情報表示装置が表示したコードを撮影する第２の撮影手段と、
撮影したコードを用いて、虹彩画像に関連する個人の救護情報を取得する救護情報取得手段と、
救護情報を出力する救護情報出力手段と
を含む情報出力装置。
【０２８９】
（付記１４）
情報表示装置と情報出力装置を含む救護情報提供システムにおいて、
情報表示装置が、
虹彩画像を撮影し、
撮影された虹彩画像に関連するコードを取得し、
取得されたコードを表示し、
情報出力装置が、
情報表示装置が表示したコードを撮影し、
撮影したコードを用いて、虹彩画像に関連する個人の救護情報を取得し、
救護情報を出力する
救護情報提供方法。
【０２９０】
（付記１５）
情報表示装置が、
虹彩画像を撮影し、
撮影された虹彩画像に関連するコードを取得し、
コードを撮影し、
撮影したコードを用いて、虹彩画像に関連する個人の救護情報を取得し、
救護情報を出力する
情報出力装置が撮影するコードとして、取得されたコードを表示する、
救護情報提供方法。
【０２９１】
（付記１６）
情報処理装置が、
虹彩画像を撮影し、
撮影された虹彩画像に関連するコードを取得し、
取得されたコードを表示する、
情報表示装置が表示したコードを撮影し、
撮影したコードを用いて、虹彩画像に関連する個人の救護情報を取得し、
救護情報を出力する
救護情報提供方法。
【０２９２】
（付記１７）
情報表示装置に、
虹彩画像を撮影する処理と、
撮影された虹彩画像に関連するコードを取得する処理と、
コードを撮影し、
撮影したコードを用いて、虹彩画像に関連する個人の救護情報を取得し、
救護情報を出力する
情報出力装置が撮影するコードとして、取得されたコードを表示する処理と、
をコンピュータに実行させるプログラムを記録する記録媒体。
【０２９３】
（付記１８）
情報処理装置に、
虹彩画像を撮影し、
撮影された虹彩画像に関連するコードを取得し、
取得されたコードを表示する
情報表示装置が表示したコードを撮影する処理と、
撮影したコードを用いて、虹彩画像に関連する個人の救護情報を取得する処理と、
救護情報を出力する処理と
を実行させるプログラムを記録する記録媒体。
【０２９４】
以上、実施形態を参照して本願発明を説明したが、本願発明は上記実施形態に限定されるものではない。本願発明の構成や詳細には、本願発明のスコープ内で当業者が理解し得る様々な変更をすることができる。
【産業上の利用可能性】
【０２９５】
本発明は、病院及び診療所など医療施設、官庁及び公署などの役所、並びに、空港及び駅など交通機関の施設などにおいて利用可能である。
【符号の説明】
【０２９６】
１００    情報表示装置
１０１    情報表示装置
１０２    情報表示装置
１１０    撮影部
１２０    コード取得部
１２１    コード取得部
１３０    コード表示部
１４０    コード保存部
１５０    指示取得部
１６０    ＩＤ取得部
２００    情報出力装置
２０１    情報出力装置
２１０    撮影部
２２０    救護情報取得部
２３０    救護情報出力部
２４０    権限保存部
３００    情報提供装置
３０１    情報提供装置
３０２    情報提供装置
３０３    情報提供装置
３０４    情報提供装置
３１０    情報保存部
３１１    情報保存部
３１２    情報保存部
３１３    情報保存部
３１４    情報保存部
３２０    情報提供部
３２１    情報提供部
３２２    情報提供部
３２３    情報提供部
３２４    情報提供部
４００    救護情報提供システム
４０１    救護情報提供システム
４０２    救護情報提供システム
４０３    救護情報提供システム
４０４    救護情報提供システム
６００    情報処理装置
６１０    ＣＰＵ
６２０    ＲＯＭ
６３０    ＲＡＭ
６４０    内部記憶装置
６５０    ＩＯＣ
６６０    入力機器
６７０    表示機器
６８０    ＮＩＣ
７００    記録媒体
【図１】
2020079719.tif 000003
【図２】
2020079719.tif 000004
【図３】
2020079719.tif 000005
【図４】
2020079719.tif 000006
【図５】
2020079719.tif 000007
【図６】
2020079719.tif 000008
【図７】
2020079719.tif 000009
【図８】
2020079719.tif 000010
【図９】
2020079719.tif 000011
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
虹彩画像を撮影する第１の撮影手段と、
撮影された前記虹彩画像に関連するコードを取得するコード取得手段と、
取得された前記コードを表示するコード表示手段と、
を含む情報表示装置と、
前記情報表示装置が表示した前記コードを撮影する第２の撮影手段と、
撮影した前記コードを用いて、前記虹彩画像に関連する個人の救護情報を取得する救護情報取得手段と、
前記救護情報を出力する救護情報出力手段と
を含む情報出力装置と
を含む救護情報提供システム。
【請求項２】
前記救護情報出力手段が、
前記救護情報を基に、他の装置に情報を送信する
請求項１に記載の救護情報提供システム。
【請求項３】
前記情報表示装置が、
前記虹彩画像と前記コードとを関連付けて保存するコード保存手段と、
前記コードの表示の指示を取得する指示取得手段と
をさらに含み、
前記第１の撮影手段が、前記指示を基に前記虹彩画像を撮影し、
前記コード取得手段が、前記コード保存手段に保存されている前記虹彩画像の中で、撮影された前記虹彩画像と所定の範囲で一致する前記虹彩画像に関連する前記コードを取得する
請求項１又は２に記載の救護情報提供システム。
【請求項４】
前記情報出力装置が、前記救護情報を関する権限を有し、
前記救護情報取得手段が、前記権限に関連する前記救護情報を取得する
請求項１ないし３のいずれか１項に記載の救護情報提供システム。
【請求項５】
前記情報表示装置が、さらに、
前記虹彩画像を用いて前記個人の識別子を取得する識別子取得手段を含み、
前記コード取得手段が、取得した前記識別子を用いて前記コードを取得する
請求項１ないし４のいずれか１項に記載の救護情報提供システム。
【請求項６】
前記コードが、前記識別子の少なくとも一部を含む
請求項５に記載に救護情報提供システム。
【請求項７】
前記コード取得手段が、
前記第１の撮影手段が片眼の前記虹彩画像を撮影した場合に片眼の前記コードを取得し、前記第１の撮影手段が両眼の前記虹彩画像を撮影した場合に両眼の前記コードを取得し、
前記救護情報取得手段が、
前記第２の撮影手段が両眼の前記コードを撮影した場合に、前記第２の撮影手段が片眼の前記コードを撮影した場合に取得する前記救護情報と、少なくとも一部が異なる前記救護情報を取得する
請求項１ないし６のいずれか１項に記載の救護情報提供システム。
【請求項８】
前記コード取得手段が、
前記第１の撮影手段が左眼の前記虹彩画像を撮影した場合に左眼の前記コードを取得し、前記第１の撮影手段が右眼の前記虹彩画像を撮影した場合に右眼の前記コードを取得し、
前記救護情報取得手段が、
前記第２の撮影手段が左眼の前記コードを撮影した場合に、前記第２の撮影手段が右眼の前記コードを撮影した場合に取得する前記救護情報と、少なくとも一部が異なる前記救護情報を取得する
請求項７に記載の救護情報提供システム。
【請求項９】
前記コードが、一次元コード又は二次元コードである
請求項１ないし８のいずれか１項に記載の救護情報提供システム。
【請求項１０】
前記虹彩画像を基に前記コードと提供し、
前記コードを基に前記救護情報を提供する
情報提供装置
をさらに含む、請求項１ないし９のいずれか１項に記載の救護情報提供システム。
【請求項１１】
前記コードの情報量が、前記虹彩画像の情報量より少ない
請求項１ないし１０のいずれか１項に記載の救護情報提供システム。
【請求項１２】
虹彩画像を撮影する第１の撮影手段と、
撮影された前記虹彩画像に関連するコードを取得するコード取得手段と、
前記コードを撮影し、
撮影した前記コードを用いて、前記虹彩画像に関連する個人の救護情報を取得し、
前記救護情報を出力し、
情報出力装置が撮影する前記コードとして、取得された前記コードを表示するコード表示手段と、
を含む情報表示装置。
【請求項１３】
虹彩画像を撮影し、
撮影された前記虹彩画像に関連するコードを取得し、
取得された前記コードを表示する情報表示装置から、
前記情報表示装置が表示した前記コードを撮影する第２の撮影手段と、
撮影した前記コードを用いて、前記虹彩画像に関連する個人の救護情報を取得する救護情報取得手段と、
前記救護情報を出力する救護情報出力手段と
を含む情報出力装置。
【請求項１４】
情報表示装置と情報出力装置を含む救護情報提供システムにおいて、
前記情報表示装置が、
虹彩画像を撮影し、
撮影された前記虹彩画像に関連するコードを取得し、
取得された前記コードを表示し、
前記情報出力装置が、
前記情報表示装置が表示した前記コードを撮影し、
撮影した前記コードを用いて、前記虹彩画像に関連する個人の救護情報を取得し、
前記救護情報を出力する
救護情報提供方法。
【請求項１５】
情報表示装置が、
虹彩画像を撮影し、
撮影された前記虹彩画像に関連するコードを取得し、
取得された前記コードを表示し、
情報出力装置が、
前記虹彩画像に関連するコードを撮影し、
撮影した前記コードを用いて、前記虹彩画像に関連する個人の救護情報を取得し、
前記救護情報を出力する
救護情報提供方法。
【請求項１６】
情報処理装置が、
虹彩画像を撮影し、
撮影された前記虹彩画像に関連するコードを取得し、
取得された前記コードを表示し、
前記コードを撮影し、
撮影した前記コードを用いて、前記虹彩画像に関連する個人の救護情報を取得し、
前記救護情報を出力する
救護情報提供方法。
【請求項１７】
情報表示装置に、
虹彩画像を撮影する処理と、
撮影された前記虹彩画像に関連するコードを取得する処理と、
取得された前記コードを表示する処理とを実行させ、
情報出力装置に、
前記コードを撮影する処理と、
撮影した前記コードを用いて、前記虹彩画像に関連する個人の救護情報を取得する処理と、
前記救護情報を出力する処理と
を実行させるプログラム。
【請求項１８】
情報処理装置に、
虹彩画像を撮影する処理と、
撮影された前記虹彩画像に関連するコードを取得する処理と、
取得された前記コードを表示する処理と、
情報表示装置が表示した前記コードを撮影する処理と、
撮影した前記コードを用いて、前記虹彩画像に関連する個人の救護情報を取得する処理と、
前記救護情報を出力する処理と
を実行させるプログラム。
【国際調査報告】
2020079719.tif 000012
2020079719.tif 000013
2020079719.tif 000014
2020079719.tif 000015